(57)【要約】【課題】建物ユニットの利便性を著しく向上することができる建物ユニット用隅金具を提供する。【解決手段】単体で本設建築物として使用可能な建物ユニットに用いられる建物ユニット用隅金具１は、建物ユニットに着脱可能なベースプレート１０と、ベースプレートに固定された隅金具部材２０とを備える。【選択図】図３
2017193872.tif 000002
【特許請求の範囲】
【請求項１】
単体で本設建築物として使用可能な建物ユニットに用いられる建物ユニット用隅金具であって、
前記建物ユニットに着脱可能なベースプレートと、
前記ベースプレートに固定された隅金具部材と、
を備える、建物ユニット用隅金具。
【発明の詳細な説明】
【技術分野】
【０００１】
本発明は、建物ユニット用隅金具に関する。
【背景技術】
【０００２】
住宅などの分野においては、工場で予め製造した建物ユニットを建築現場へ搬送し、建築現場で建物ユニットを複数個組み合わせることによって、一つのユニット建物を構築するようにしたユニット工法が行われている。
【０００３】
このようなユニット工法では、通常、建物ユニットを、トラックや貨物列車などに搭載して建築現場へ搬送している（例えば、特許文献１参照）。
【先行技術文献】
【特許文献】
【０００４】
【特許文献１】特開２００１−１８７０５号公報
【発明の概要】
【発明が解決しようとする課題】
【０００５】
上述の建物ユニットは、通常複数組み合わされることにより一つの建築物となる。したがって、建物ユニット単独で、本設建築物として日本の建築基準法における建築確認を受けることは基本的にできない。このため、我が国では、建物ユニットの用途は限られているのが現状である。
【０００６】
本発明者は、現状よりはるかに広い用途に使用できる建物ユニットを考案した。本発明においては、当該建物ユニットの利便性を著しく向上することができる建物ユニット用隅金具を提供することを目的とする。
【課題を解決するための手段】
【０００７】
本発明は、単体で本設建築物として使用可能な建物ユニットに用いられる建物ユニット用隅金具であって、前記建物ユニットに着脱可能なベースプレートと、前記ベースプレートに固定された隅金具部材とを備える、建物ユニット用隅金具である。
【発明の効果】
【０００８】
本発明の建物ユニット用隅金具によれば、建物ユニットの利便性を著しく向上することができる。
【図面の簡単な説明】
【０００９】
【図１】本発明の一実施形態に係る建物ユニット用隅金具が取り付けられる建物ユニットを示す図である。
【図２】同建物ユニットの上部隅部を示す部分拡大図である。
【図３】建物ユニット用隅金具を示す図である。
【図４】同建物ユニットが重ねられた状態における同建物ユニット用隅金具を一部破断して示す図である。
【図５】同建物ユニットが水平に並べられた状態における同建物ユニット用隅金具を示す図である。
【発明を実施するための形態】
【００１０】
以下、本発明の一実施形態について説明する。
図１は、本実施形態の建物ユニット用隅金具（以下、単に「隅金具」と称する。）が取り付けられる建物ユニット１００を示す図である。
【００１１】
建物ユニット１００は、金属製の複数本（例えば４本）のユニット柱１０１と、複数本（例えば４本）の床梁１０２と、複数本（例えば４本）の天井梁１０３とを有するボックスラーメン構造のユニットフレームを備えている。建物ユニット１００の外観は、例えば、図１に示すように、直方体状である。
【００１２】
建物ユニット１００において、ユニット柱１０１の下端部は、床梁１０２によって連結固定されている。ユニット柱１０１の上端部は、天井梁１０２によって連結固定されている。
【００１３】
建物ユニット１００は、単体で構造計算可能なように構築されている。また、所定の方法で複数の建物ユニット１００を連結することにより、連結された状態での構造計算も可能である。したがって、建築現場に予め打設された基礎の上部に、単独または連結された状態で設置固定することにより、日本の建築基準法における本設建築物として建築確認を受けることができる。
【００１４】
建物ユニット１００は、単体で本設建築物として使用することができるため、建物ユニット１００の用途は、仮設建築物に比して著しく広くなる。例えば、床面積や設備等の諸条件を満たすように構成することにより、建物ユニット１００を用いて旅館業やホテル業等を行うことが可能である。
【００１５】
図２は、建物ユニット１００の上部隅部を示す部分拡大図である。上部隅に集結する天井梁１０３およびユニット柱１０１は、いずれもコーナー金具１０５に溶接されている。コーナー金具１０５には、後述するベースプレートを固定するためのネジ穴１０６が貫通して設けられている。
図示を省略するが、上部の他の隅部および下部のすべての隅部においても、同様にユニット柱１０１と天井梁１０３または床梁１０２とが、コーナー金具１０５を用いて一体に連結固定されている。
【００１６】
図３は、本実施形態の隅金具１を示す図である。隅金具１は、コーナー金具１０５に取りつけられるベースプレート１０と、ベースプレート１０に固定された隅金具部材２０とを備えている。
【００１７】
ベースプレート１０は、金属等で形成された板状の部材であり、コーナー金具１０５との固定に用いるネジ穴１１が厚さ方向に貫通して設けられている。
隅金具部材２０は、金属の鋳造等により形成された略直方体の部材であり、内部が空洞になるように形成されている。
【００１８】
隅金具部材２０は、底面がベースプレート１０と溶接されることにより、ベースプレート１０上に固定されている。
隅金具部材２０において、底面と反対側の上面２１には、内部空間に連通する貫通孔２１ａが形成されている。さらに、上面２１と底面との間に位置し、かつ建物ユニット１００に取り付けられたときに建物ユニット１００の外面と略平行となる第一側面２２および第二側面２３にも、それぞれ貫通孔２２ａ、２３ａが形成されている。
各貫通孔２１ａ、２２ａ、および２３ａは、いずれも角丸長方形に形成されているが、後述する連結固定が可能であれば、その形状には特に制限はない。
【００１９】
上記のように構成された本実施形態の隅金具１の使用時の動作について説明する。
隅金具１は、建物ユニット１００の上部の４つの隅部および下部の４つの隅部に取りつけられる。すなわち、一つの建物ユニット１００に対して８つの隅金具１が取り付けられる。
【００２０】
建物ユニット１００に隅金具１を取りつける際は、ネジ穴１１がコーナー金具のネジ穴１０６と連通するようにベースプレート１０をコーナー金具１０５上に配置する。その後、ネジ穴１１およびネジ穴１０６にボルトを通し、ナットを締め込む等により、隅金具１をコーナー金具１０５上に固定することができる。
下部の隅部への隅金具１の取りつけは容易でないため、床梁１０２とユニット柱１０１とを連結する際等に行ってもよい。
【００２１】
８つの隅金具１が取り付けられた建物ユニット１００は、可搬性が著しく高まり、利便性が向上される。例えば、上部の各隅金具１において、貫通孔２１ａおよび貫通孔２２ａ、２３ａの一方を通過するように、フック或いはシャックル等を隅金具１に掛けることで、ワイヤ等を用いてクレーン等で建物ユニット１００を好適に運搬することができる。
【００２２】
図４に示すように、建物ユニット１００を上下方向に重ねると、下側の建物ユニット１００Ａに固定された隅金具１Ａと、上側の建物ユニット１００Ｂに固定された隅金具１Ｂとが重なるように位置する。隅金具１Ａと隅金具１Ｂとは、互いの貫通孔２１ａが連通する位置関係にあるため、ツイストロック等を用いて建物ユニット１００Ａと１００Ｂとを位置ずれ等生じないように連結固定することができる。さらに、建物ユニット１００の下側に取り付けられた隅金具を用いて、建物ユニット１００を船倉の床へ固定することも可能である。
【００２３】
図５に示すように、建物ユニット１００を左右方向に並べると、左側の建物ユニット１００Ｃに固定された隅金具１Ｃと、右側の建物ユニット１００Ｄに固定された隅金具１Ｄとが並ぶように位置する。この状態において、例えば隅金具１Ｃの貫通孔２２ａと隅金具１Ｄの貫通孔２３ａとが並ぶように位置しているため、貫通孔２２ａおよび２３ａに公知の連結具を係止する等により、建物ユニット１００Ｃと１００Ｄとを位置ずれ等生じないように連結固定することができる。
【００２４】
上述したように、隅金具１が取り付けられた建物ユニット１００は、垂直方向および水平方向のいずれにも連結固定することが可能である。したがって、トラックや貨物列車等へ積載して好適に運搬するだけでなく、船倉へ多数積み込んで連結固定することにより、海上輸送も好適に行うことができる。
【００２５】
打設された基礎上に建物ユニット１００を設置固定する際は、隅金具１を建物ユニット１００から取り外す。隅金具１は、建物ユニット１００に対して着脱可能であるため、本設工事や建築確認の妨げになることはない。基礎上において、建物ユニット１００を垂直方向に重ねない場合、上部に取り付けた隅金具１は、取り外さずにつけたままにしておいてもよい。
【００２６】
設置場所において、建物ユニット１００が不要になった場合は、建物ユニット１００を基礎から取り外し、再度隅金具１を取りつける。隅金具１を取りつけることにより、建物ユニット１００は再び可搬性が高められ、他の場所への移動が可能になる。したがって、他の土地に移送して再び本設建築物として建築確認を受けることも可能であるし、海上輸送により外国へ移送して建物として用いることも可能である。
【００２７】
以上説明したように、本実施形態の隅金具１によれば、単体で本設建築物として使用可能な建物ユニット１００に着脱可能に構成されている。したがって、運搬時には建物ユニット１００に取り付けることにより可搬性等の利便性を著しく向上しつつ、本設工事を行う際は、建物ユニット１００から取り外すことで、基礎への円滑な設置ができ、建築確認を好適に進めることができる。
【００２８】
また、隅金具部材２０は、貫通孔２１ａ、２２ａ、および２３ａを有しているため、隅金具１を取りつけた複数の建物ユニット１００を垂直方向および水平方向に容易かつ確実に連結固定することができる。その結果、例えば製造コストの低廉な外国で建物ユニット１００を多数製造し、好適に海上輸送を行い我が国まで移送して利用することも容易である。
【００２９】
以上、本発明の一実施形態について説明したが、本発明の技術範囲は上記実施形態に限定されるものではなく、本発明の趣旨を逸脱しない範囲において構成要素の組み合わせを変えたり、各構成要素に種々の変更を加えたり、削除したりすることが可能である。
【符号の説明】
【００３０】
１、１Ａ、１Ｂ、１Ｃ、１Ｄ  建物ユニット用隅金具
１０  ベースプレート
２０  隅金具部材
１００、１００Ａ、１００Ｂ、１００Ｃ、１００Ｄ  建物ユニット
【図１】
2017193872.tif 000003
【図２】
2017193872.tif 000004
【図３】
2017193872.tif 000005
【図４】
2017193872.tif 000006
【図５】
2017193872.tif 000007